(57)【特許請求の範囲】
【請求項１】
物質を分与するための分与器を支持するバックプレート用のユーティリティパネルであって、前記バックプレートが支持構体に取り外し可能に取り付けられ、前記バックプレートと前記支持構体が該バックプレートと該支持構体との間に少なくとも２つのガイドチャネルを形成し、また前記バックプレートが少なくとも１つのロックタブを備えている、ユーティリティパネルにおいて、
主部分から実質的に直角に延びる第１及び第２の側方部分を有するプレートであって、前記第１及び第２の側方部分が離間してそれらの間に受入れチャネルを形成し、この受入れチャネルが前記バックプレートを受け入れ、前記第１及び第２の側方部分の各々から前記受入れチャネル内へ延びる保持レッグが前記ガイドチャネルの１つに受け入れられる、プレートと、
前記保持レッグの少なくとも１つから延びている保持タブであって、前記保持タブは、前記保持レッグが前記ガイドチャネル内に受け入れられると、前記少なくとも１つのロックタブと係合して前記プレートを前記バックプレートに対して保持し、前記主部分と前記第１及び第２の側方部分が前記バックプレートの周辺を実質的に包囲する、保持タブと、
を包含する、ユーティリティパネル。
【請求項２】
前記主部分は物理的印を表示する窓を包含している、請求項１記載のユーティリティパネル。
【請求項３】
更に、前記プレートに移動可能に取り付けられて、前記物理的印を前記窓に整合して保持するドアを包含している、請求項２記載のユーティリティパネル。
【請求項４】
更に、前記主部分から前記受入れチャネル内に延びて、前記少なくとも１つのガイドチャネル内に受け入れられる、少なくとも１つの支持部分を包含している、請求項１記載のユーティリティパネル。
【請求項５】
更に、前記第１及び第２の側方部分の少なくとも１つから延びて、前記少なくとも１つのガイドチャネル内に受け入れられる、少なくとも１つの支持部分を包含している、請求項１記載のユーティリティパネル。
【請求項６】
前記主部分はこの主部分の上に施されている印を包含している、請求項１記載のユーティリティパネル。
【請求項７】
前記主部分はこの主部分に設けられている棚を包含している、請求項１記載のユーティリティパネル。
【請求項８】
前記主部分はこの主部分に設けられている滴受けを包含している、請求項１記載のユーティリティパネル。
【請求項９】
物質が分与される分与器を支持するバックプレートであって、前記バックプレートが支持構体に取り外し可能に取り付けられ、前記バックプレートと前記支持構体が該バックプレートと該支持構体との間に少なくとも２つのガイドチャネルを形成し、また前記バックプレートが少なくとも１つのロックタブを備えている、バックプレートと、
主部分から実質的に直角に延びる第１及び第２の側方部分を有するプレートであって、前記第１及び第２の側方部分が離間してそれらの間に受入れチャネルを形成し、この受入れチャネルが前記バックプレートを受け入れ、前記第１及び第２の側方部分の各々から前記受入れチャネル内へ延びる保持レッグが前記ガイドチャネルの１つに受け入れられる、プレートと、
前記保持レッグの少なくとも１つから延びている保持タブであって、前記保持タブは、前記保持レッグが前記ガイドチャネル内に受け入れられると、前記少なくとも１つのロックタブと係合して前記プレートを前記バックプレートに対して保持し、前記主部分と前記第１及び第２の側方部分が前記バックプレートの周辺を実質的に包囲する、保持タブと、
を包含する、ユーティリティパネル。
【請求項１０】
前記主部分は窓を包含し、この窓に物理的印を表示するようにしている、請求項９記載のユーティリティパネル。
【請求項１１】
更に、前記プレートに移動可能に取り付けられて、前記物理的印を前記窓に整合して保持するドアを包含している、請求項１０記載のユーティリティパネル。
【請求項１２】
更に、前記主部分から前記受入れチャネル内に延びて、前記少なくとも１つのガイドチャネル内に受け入れられる、少なくとも１つの支持部分を包含している、請求項９記載のユーティリティパネル。
【請求項１３】
更に、前記第１及び第２の側方部分の少なくとも１つから延びて、前記少なくとも１つのガイドチャネル内に受け入れられる、少なくとも１つの支持部分を包含している、請求項９記載のユーティリティパネル。
【請求項１４】
前記主部分はこの主部分の上に施されている印を包含している、請求項９記載のユーティリティパネル。
【請求項１５】
前記主部分はこの主部分に設けられている棚を包含している、請求項９記載のユーティリティパネル。
【請求項１６】
分与器が前記バックプレートに取り付けられ、前記分与器は作動されると物質をノズルから分与するようにしている、請求項９記載のユーティリティパネル。
【請求項１７】
前記主部分はこの部分に取り付けられている滴受けを包含し、前記滴受けは前記分与器の前記ノズルの下方に配置されている、請求項１６記載のユーティリティパネル。
【請求項１８】
支持構体に取り外し可能に取り付けられたバックプレートに取り付けられるユーティリティパネルにおいて、
主部分から実質的に直角に延びる第１及び第２の側方部分であって、前記第１及び第２の側方部分が離間してそれらの間に受入れチャネルを形成している、第１及び第２の側方部分と、
前記第１及び第２の側方部分の各々から延びている保持レッグであって、前記第１及び第２の側方部分が前記受入れチャネル内へ延び、前記保持レッグがこの保持レッグを貫通している受入れ穴を備えている、保持レッグと、
前記受入れ穴の各々の内部から延びている可撓性の保持タブであって、前記保持タブが、前記バックプレートに設けられたロックタブに選択的に係合し、前記主部分と前記第１及び第２の側方部分が前記バックプレートの周辺を実質的に包囲する、保持タブと、
を包含する、ユーティリティパネル。
【請求項１９】
前記主部分は窓を包含し、この窓に物理的印を表示するようにしている、請求項１８記載のユーティリティパネル。
【請求項２０】
前記主部分はこの主部分に設けられている棚を包含している、請求項１８記載のユーティリティパネル。
【請求項２１】
前記主部分はこの主部分に設けられている滴受けを包含している、請求項１８記載のユーティリティパネル。
【発明の詳細な説明】
【技術分野】
【０００１】
一般には、本発明は、石鹸等の物質を分与するための分与器に関する。詳細には、本発明は、設置されている分与器に組み込んで分与器を改装することができるユーティリティパネルに関する。より詳細には、本発明は、予め設置されている分与器によって提供されているバックプレート等の互換性のあるバックプレートに容易に組み込んで分与器を改装することができるユーティリティパネルに関する。
【背景技術】
【０００２】
分与器は、石鹸、殺菌剤又は保湿剤等の物質の分与器からの便利な分与を必要とする多くの場所に設置されている。これらの分与器が便利な物質源を提供するため、情報コンテンツが分与器の使用者に伝えられる機会を提供する。
【０００３】
残念なことに、既存の分与器は、広告又は他の情報コンテンツを提供することができるシステムを提供しておらず、したがって、このようなメッセージを分与器の使用者に伝える機会は失われる。既存の分与器を、情報コンテンツを表示することができる新たな分与器と置き換えることはできるが、このような試みは概して法外な費用がかかり、無駄である。
【０００４】
したがって、既存の分与器に容易に組み込んで分与器を改装することができるユーティリティパネルの必要性が存在する。更に、互換性のあるバックプレートを有する既存の分与器に組み込んで分与器を改装し、情報コンテンツを表示するシステムを提供することができるユーティリティパネルが必要である。
【発明の概要】
【０００５】
上述に照らして、本発明の第１の態様によれば、物質を分与するための分与器を支持するバックプレート用のユーティリティパネルであって、前記バックプレートが支持構体に取り外し可能に取り付けられ、前記バックプレートと前記支持構体が該バックプレートと該支持構体との間に少なくとも２つのガイドチャネルを形成し、また前記バックプレートが少なくとも１つのロックタブを備えている、ユーティリティパネルにおいて、主部分から実質的に直角に延びる第１及び第２の側方部分を有するプレートであって、前記第１及び第２の側方部分が離間してそれらの間に受入れチャネルを形成し、この受入れチャネルが前記バックプレートを受け入れ、前記第１及び第２の側方部分の各々から前記受入れチャネル内へ延びる保持レッグが前記ガイドチャネルの１つに受け入れられる、プレートと、前記保持レッグの少なくとも１つから延びている保持タブであって、前記保持タブは、前記保持レッグが前記ガイドチャネル内に受け入れられると、前記少なくとも１つのロックタブと係合して前記プレートを前記バックプレートに対して保持し、前記主部分と前記第１及び第２の側方部分が前記バックプレートの周辺を実質的に包囲する、保持タブとを包含する、ユーティリティパネルが提供される。
【０００６】
また、本発明の第２の態様によれば、物質が分与される分与器を支持するバックプレートであって、前記バックプレートが支持構体に取り外し可能に取り付けられ、前記バックプレートと前記支持構体が該バックプレートと該支持構体との間に少なくとも２つのガイドチャネルを形成し、また前記バックプレートが少なくとも１つのロックタブを備えている、バックプレートと、主部分から実質的に直角に延びる第１及び第２の側方部分を有するプレートであって、前記第１及び第２の側方部分が離間してそれらの間に受入れチャネルを形成し、この受入れチャネルが前記バックプレートを受け入れ、前記第１及び第２の側方部分の各々から前記受入れチャネル内へ延びる保持レッグが前記ガイドチャネルの１つに受け入れられる、プレートと、前記保持レッグの少なくとも１つから延びている保持タブであって、前記保持タブは、前記保持レッグが前記ガイドチャネル内に受け入れられると、前記少なくとも１つのロックタブと係合して前記プレートを前記バックプレートに対して保持し、前記主部分と前記第１及び第２の側方部分が前記バックプレートの周辺を実質的に包囲する、保持タブとを包含する、ユーティリティパネルが提供される。
【０００７】
更に、本発明の第３の態様によれば、支持構体に取り外し可能に取り付けられたバックプレートに取り付けられるユーティリティパネルにおいて、主部分から実質的に直角に延びる第１及び第２の側方部分であって、前記第１及び第２の側方部分が離間してそれらの間に受入れチャネルを形成している、第１及び第２の側方部分と、前記第１及び第２の側方部分の各々から延びている保持レッグであって、前記第１及び第２の側方部分が前記受入れチャネル内へ延び、前記保持レッグがこの保持レッグを貫通している受入れ穴を備えている、保持レッグと、前記受入れ穴の各々の内部から延びている可撓性の保持タブであって、前記保持タブが、前記バックプレートに設けられたロックタブに選択的に係合し、前記主部分と前記第１及び第２の側方部分が前記バックプレートの周辺を実質的に包囲する、保持タブとを包含するユーティリティパネルが提供される。
【０００８】
本発明の上述した及び他の特徴並びに利点は、下記の説明、特許請求の範囲及び図面を参照することによってより良好に理解されるであろう。
【図面の簡単な説明】
【０００９】
【図１】本発明の概念にしたがってバックプレートを介して支持構体に取り付けられる分与器の斜視図である。
【図２】本発明の概念にしたがって分与器により提供されているバックプレートの背面斜視図である。
【図３】本発明の概念にしたがって分与器のバックプレートと支持面との間に画定されている受入れチャネル内に摺動可能に受け入れられるユーティリティパネルを示す側面図である。
【図３Ａ】本発明の概念にしたがって受入れチャネル内に摺動可能に受け入れられるユーティリティパネルを示す別の側面図である。
【図４】本発明の概念にしたがって分与器のバックプレートに取り付けられるように構成されているユーティリティパネルの正面斜視図である。
【図４Ａ】本発明の概念によるユーティリティパネルにより提供されている保持レッグの斜視図である。
【図５】本発明の概念によるユーティリティパネルの背面斜視図である。
【図５Ａ】本発明の概念によるユーティリティパネルにより提供されている別の保持レッグの斜視図である。
【図６】本発明の概念にしたがって分与器のバックプレートに取り付けられるユーティリティパネルの背面図である。
【図７】本発明の概念によるユーティリティパネルの突起とバックプレートとの間の位置関係を示す、ユーティリティパネル及びバックプレートの断面図である。
【図８】本発明の概念による保持レッグを示す、ユーティリティパネル及びバックプレートの別の断面図である。
【図９】本発明の概念による保持レッグを示す、ユーティリティパネル及びバックプレートの更に別の断面図である。
【図１０】本発明の概念にしたがって下方に摺動してバックプレートのロックタブと係合するユーティリティパネルの保持レッグを示す斜視図である。
【図１１】本発明の概念にしたがってバックプレートのロックタブと係合するときの、ユーティリティパネルの保持タブを示す斜視図である。
【図１２Ａ】本発明の概念にしたがって分与器のバックプレートに取り付けられる別のユーティリティパネルの正面斜視図である。
【図１２Ｂ】本発明の概念にしたがって分与器のバックプレートに取り付けられる前記別のユーティリティパネルの背面斜視図である。
【図１３Ａ】本発明の概念にしたがって窓を備え、この窓内に配置された物理的印が分与器の使用者によって見られることを可能にした更に別のユーティリティパネルの正面斜視図である。
【図１３Ｂ】本発明の概念にしたがって窓内に配置された物理的印に選択的にアクセスするドアを有する前記更に別のユーティリティパネルの背面斜視図である。
【図１４】本発明の概念にしたがって棚を包含している更に別のユーティリティパネルの正面斜視図を示す。
【図１５】本発明の概念にしたがって滴受けを包含している更に別のユーティリティパネルの正面斜視図である。
【発明を実施するための形態】
【００１０】
分与器１０用のユーティリティパネルは、図面の図に符号２０によって総括的に示されている。詳細には、図１〜図３に示されている分与器１０は、バックプレート４０に枢動可能に取り付けられているカバー３０を包含する。バックプレート４０は、実質的に垂直な壁５０を包含する。壁５０は、一対の向かい合っている上方部分６０及び下方部分６２を備え、これらの上方部分６０及び下方部分６２が一対の向かい合っている側方部分７０及び７２によって結合されている構成とされている。壁５０の部分６０、６２及び７０、７２は、内方縁７６及びこの内方縁７６と向かい合っている外方縁７８によって境界が定められている内方面７４及び外方面７５を包含する。取付け部分８０が、壁５０の両側の側方部分７０と７２との間に形成されている。取付け部分８０は、バックプレート４０の壁５０の内方縁７６を超えて延びるように構成されている。壁５０の上方部分６０及び下方部分６２はそれぞれオフセット部分８２及び８４を包含し、これらのオフセット部分８２及び８４は内方縁７６から離れるように延びて、それぞれの端部８６及び８８で終わっているオフセット縁８５を形成する。したがって、バックプレート４０の内方縁７６は各オフセット部分８２、８４のオフセット縁８５によって一組の窪んだ側方縁９０及び９２に分割され、これらの窪んだ側方縁９０及び９２は各オフセット部分８２、８４の端部８６と８８との間に延び、これにより、窪んだ側方縁９０は側方部分７０に沿って延び、また窪んだ側方縁９２は側方部分７２に沿って延びている。複数の取付け穴９１が取付け部分８０を貫通して設けられ、これらの取付け穴９１を通して種々の留め具が受け入れられて、バックプレート４０を支持構体９４に固定することができる。支持構体９４は、任意の適当な構体、例えば壁から成ることができる。
【００１１】
バックプレート４０は、また、一対のロックタブ１００及び１０１を包含し、これらのロックタブ１００及び１０１はバックプレート４０の下方部分６２に近接する場所においてそれぞれ側方部分７０及び７２のそれぞれの内方面７４から実質的に直角に延びている。ロックタブ１００、１０１は一対の向かい合っている上方面１１０及び下方面１１２を包含し、また、ロックアーム１１４及び１１６がロックタブ１００、１０１のそれぞれの下方面１１２から実質的に直角に延びている。したがって、ロックタブ１００、１０１及びそれぞれのロックアーム１１４、１１６は、一緒になって、対応するロックチャネル１２０及び１２２を形成する。
【００１２】
バックプレート４０を支持構体９４に取り付けるために、ねじ又は他のねじ状留め具が、取付け部分８０の取付け穴９１を通して挿入されて支持構体９４に螺着される。代替として、ねじ状留め具を使用する代わりに、取付け部分８０を支持構体９４に固定するために、両面テープ又は他の適当な接着手段を取付け部分８０に適用することができる。このようにして、オフセット部分８２及び８４のオフセット縁８５と取付け部分８０とは支持構体９４に近接して配置される。したがって、図３に示されているように、取付け部分８０は壁５０の内方縁７６を越えて延び、またオフセット部分８２の延長部がバックプレート４０の内方縁７６から離れているので、壁５０の窪んだ側方縁９０及び９２は取り付けられる支持構体９４からオフセットされ、すなわち、離間される。その結果、図３及び図３Ａに示されているように、側方ガイドチャネル１５０及び１５２のそれぞれが壁５０の窪んだ側方縁９０、９２と支持構体９４との間に形成され、これらの側方ガイドチャネル１５０及び１５２は以下に説明する方法によってユーティリティパネル２０を摺動可能に受け入れるように寸法が決められる。
【００１３】
図２〜図１２に示されているように、より明瞭には、図４〜図５に示されているように、ユーティリティパネル２０は、一対の表裏の内方面２０２及び外方面２０４を有する実質的に平らなプレート又はパネル部分２００を包含する。詳細には、実質的に平らなプレート部分２００は主部分２０９を包含し、この主部分から一対の側方部分２１０及び２２０がそれぞれのコーナー部２２２及び２２４において主部分２０９から実質的に直角に連続して延び、それぞれの端縁２３０及び２３２で終っている。したがって、主部分２０９及び側方部分２１０、２２０は一緒になって受入れチャネル２５０を形成し、受入れチャネル２５０はチャネル縁２５２によって境界が定められ、また受入れチャネル２５０はその中に取り付けプレート４０を受け入れるような寸法に決められている。突起２７０が受入れチャネル２５０のチャネル縁２５２から延びており、この突起２７０は、ユーティリティパネル２０が分与器１０に後述するように取り付けられたときに、壁５０の内方縁７６に隣接するような寸法に決められている。
【００１４】
図４、４Ａ及び図５、５Ａに明白に示されているように、支持部分２８０、２８２がそれぞれ各コーナー部２２２，２２４において突起２７０から延びており、一方、保持レッグ２９０及び２９２がそれぞれ各側方部分２１０、２２０の端部２３０及び２３２に近接する場所において各側方部分２１０、２２０の突起２７０から延びている。図４〜図９に示されているように、保持レッグ２９０及び２９２は可撓性の保持タブ３００を包含し、この保持タブ３００は側方縁３０２を包含し、この側方縁３０２からオーバヘッド縁３０４が実質的に直角に延びて保持チップ３０８を形成している。詳細には、保持タブ３００の側方縁３０２は突起２７０に実質的に平行であるように構成され、一方、オーバヘッド縁３０４は側方部分２１０及び２２０のそれぞれによって提供されている突起２７０に実質的に直角である。更に、可撓性の保持タブ３００は、保持レッグ２９０及び２９２を貫通して設けられている受入れ穴３１０を通して枢動点又は可撓点３３０において可撓的に移動することが許され、一方、保持チップ３０８はプレート２００の外方面２０４から延びている。
【００１５】
したがって、分与器１０が支持構体９４に一度取り付けられると、既に説明したように、ガイドチャネル１５０及び１５２が窪んだ縁９０及び９２と支持構体９４との間に形成される。次に、ユーティリティパネル２０の受入れチャネル２５０内にバックプレート４０を受け入れるようにするために、図３及び図３Ａに示されているように、ユーティリティパネル２０がまずバックプレート４０の上方に位置させられて、ユーティリティパネル２０の内方面２０２が支持構体９４に隣接させられる。続けて、ユーティリティパネル２０は下方に摺動されて、側方部分２１０、２２０の保持レッグ２９０、２９２がガイドチャネル１５０及び１５２のそれぞれの中に受け入れられ、またバックプレート４０がユーティリティパネル２０の受入れチャネル２５０内に受け入れられる。ユーティリティパネル２０の側方部分２１０及び２２０が下方に摺動されると、保持レッグ２９０、２９２のそれぞれによって提供されている保持タブ３００の保持チップ３０８は、保持タブ３００のそれぞれが対応するロックチャネル１２０及び１２２内に解放又はスナップ係合されるまで、バックプレート４０の対応するロックタブ１００、１０１によって圧縮される。一度解放されると、保持レッグ２９０、２９２の保持タブ３００は、図１２Ａ〜Ｂに示されているように、ロックタブ１００、１０１のそれぞれの下方面１１２に対して係合されて、分与器１０のバックプレート４０にユーティリティパネル２０を保持する。更に、プレート２００が下方に摺動されると、支持部分２８０、２８２が対応するガイドチャネル１５０、１５２内にまた受け入れられて、ユーティリティパネル２０に追加支持を提供する。
【００１６】
図面の図１３Ａ〜Ｂに示されている、ユーティリティパネル２０の別の実施形態において、主部分２０９は窓４００を包含する。窓４００は、ガラス又はプラスチック等の任意の適当な透明又は半透明の材料から作ることができる。保持壁４１０は、プレート２００の内方面２０２から延びて、物理的印を受け入れて支持し、物理的印を窓４００に隣接させるように構成されている。移動可能なドア又は枢動ドア４２０が、プレート２００の内方面２０２に取り付けられている。このドア４２０は、窓４００に隣接する位置に物理的印を保持するのに使用され、これにより、ユーティリティパネル２０が分与器１０に取り付けられたときには、分与器１０の使用者によって見られることができるようにされている。更に、ドア４２０は所望に応じて物理的印を除去又は交換するために使用される。
【００１７】
別の態様では、主部分２０９により提供されている窓４００は、画鋲、ステープル、接着剤等の任意の適当な固定方法を使用して、使用者が、例えば、広告サイン、ポスター、又はステッカ等の任意の所望の媒体の種々の物理的印を物理的に取り付けて保持するのを可能にするために、プラスチック、コルク、ボール紙等の任意の適当な材料に置き換えてもよい。更に、主部分２０９の外方面２０４には、分与器１０の使用者が見ることができるマーク、シンボル等の任意の所望の印を予め施してもよい。別の態様では、主部分２０９は所望の物理的印を表示することができるような任意の所望の寸法を採用してもよい。
【００１８】
更に、別の実施形態において、符号５００で示され、ユーティリティパネル２０と構造的に等しいが、棚５２０を包含するユーティリティパネルが、図面の図１４に示されている。詳細には、棚５２０はパネル２００の主部分２０９から延びるように構成されている。棚５２０は、ベース５３０を包含する。ベース５３０は、その１つの縁５３２が主部分２０９によって囲まれ、またその残りの３つの縁５３４、５３６及び５３８が壁部分５５４、５５６及び５５８のそれぞれによって囲まれている。ベース５３２は実質的に平らな部分として示されているが、ベース５３２は曲線又直線の形状、若しくはこれらの両方の形状の組み合わせを含む任意の断面形状を有していてもよく、また、ベース５３２は壁部分５５４〜５５８と結合して使用してもよいし、又は結合しないで使用してもよい。このようにして、棚５２０は、ユーティリティパネル５００がバックプレート４０に取り付けられてときには、石鹸、シャンプーの容器を含む種々の品物を例えば保管することができる便利な保管場所を提供する。
【００１９】
更に別の実施形態において、図面の図１５に符号６００によって示されているユーティリティパネルは、主部分２０９の構成を除いて、ユーティリティパネル２０と構造的に等しい。詳細には、主部分２０９は、細長くされ、受入れチャネル２５０から離れて延びて、主部分２０９から実質的に垂直に延びている滴受け６７０によって終っている。したがって、ユーティリティパネル６００は、側方部分２１０及び２２０のそれぞれの保持タブ３００がバックプレート４０のロックタブ１００及び１０１のそれぞれに係合するように、バックプレート４０の下方部分６２に隣接して取り付けられるように構成されている。したがって、ユーティリティパネル６００が分与器１０によって提供されているバックプレート４０に取り付けられたときには、ユーティリティパネル６００はバックプレート４０に取り付けられている分与器１０のノズルから流出又は垂れた残留物質を捕らえることができ、これにより、床、カウンター、又は分与器１０が取り付けられる他の任意の区域の上に汚れた残留物質が広がるのを防ぐことができる。
【００２０】
以上述べた種々のユーティリティパネル２０、５００及び６００は分与器１０の一部分であるバックプレート４０と関連して使用されてもよいし、また、バックプレート４０は分与器１０なしに単独で使用されてもよいことも考えられている。したがって、バックプレート４０は、単に、バックプレート４０が取り付けられる所望の表面又は構体に種々のユーティリティパネル２０、５００及び６００を取り付けることを可能とするベースとしての役割を果たすことができる。
【００２１】
したがって、本発明の１つ又はそれ以上の実施形態の利点は、壁取り付け分与器用のユーティリティパネルをツールの必要なしに壁取り付け分与器に容易に組み込んで壁取り付け分与器を改装することができることであることを認識されよう。本発明の他の利点は、壁取り付け分与器用のユーティリティパネルが視覚用窓を提供し、印を分与器の使用者が視覚するための窓内に着脱自在で配置することができることである。本発明の更に他の利点は、ユーティリティパネルが、所望の面のいずれにも取り付けられてもよいように構成されているバックプレートに取り付けることができることである。本発明の更に他の利点は、特定の機能を有する種々のユーティリティパネルをバックプレートに交換可能に取り付けることができることである。
【００２２】
以上いくつかの実施形態を参照して本発明をかなり詳細に説明したけれども、他の実施形態も可能である。したがって、特許請求の範囲に記載した本発明の精神及び範囲は本明細書に開示した実施形態の記載に限定されるべきではない。
【図１】
0006055424.tif 000002
【図２】
0006055424.tif 000003
【図３】
0006055424.tif 000004
【図３Ａ】
0006055424.tif 000005
【図４】
0006055424.tif 000006
【図４Ａ】
0006055424.tif 000007
【図５】
0006055424.tif 000008
【図５Ａ】
0006055424.tif 000009
【図６】
0006055424.tif 000010
【図７】
0006055424.tif 000011
【図８】
0006055424.tif 000012
【図９】
0006055424.tif 000013
【図１０】
0006055424.tif 000014
【図１１】
0006055424.tif 000015
【図１２Ａ】
0006055424.tif 000016
【図１２Ｂ】
0006055424.tif 000017
【図１３Ａ】
0006055424.tif 000018
【図１３Ｂ】
0006055424.tif 000019
【図１４】
0006055424.tif 000020
【図１５】
0006055424.tif 000021